(57)【要約】【課題】製造コストを低減しながら、十分な強度を確保することができるラック用支柱を提供する。【解決手段】ラック用支柱１０を、一枚の金属板材を角柱状になるように折り曲げ形成し、前記ラック用支柱１０の一側面に、前記金属板材の両端部１１，１１が該側面よりも内側に没するように折り曲げられた折込部１４，１４を形成する。【選択図】図１
0003156071.tif 000002
【実用新案登録請求の範囲】
【請求項１】
収納保管するための物品棚や書架等のラックに組み込まれるラック用支柱であって、
前記ラック用支柱は、一枚の金属板材を角柱状になるように折り曲げ形成され、
前記ラック用支柱の一側面には、前記金属板材の両端部が該側面よりも内側に没するように折り曲げられた折込部が形成されていることを特徴とするラック用支柱。
【請求項２】
前記折込部は、前記ラック用支柱の一側面の幅方向中央部に配置されていることを特徴とする請求項１記載のラック用支柱。
【請求項３】
前記ラック用支柱は、前記折込部が配置されている側面に、他部材を係止するための正面係止部が形成されていることを特徴とする請求項１又は２に記載のラック用支柱。
【請求項４】
前記ラック用支柱は、前記折込部が配置されている側面に対向する側面に、他部材を係止するための背面係止部が形成されていることを特徴とする請求項１〜３のいずれかに記載のラック用支柱。
【請求項５】
請求項１〜４のいずれか１項に記載のラック用支柱を備えているラック。
【考案の詳細な説明】
【技術分野】
【０００１】
本考案は、収納や保管するための物品棚や書架等のラック用の支柱に関するものである。
【背景技術】
【０００２】
従来、収納や保管するための物品棚や書架等のラック用の支柱は、その側面にビーム等の部材を取り付けることにより、ラックを構成するものが知られている（特許文献１参照）。
【０００３】
また、このようなラック用支柱は、一般的に、支柱の側面に高さ方向に沿って開口する開口部を有する平面視Ｃ状のラック用支柱（図１２のＡ，Ｂ参照）や、支柱の側面に開口部を有しない角柱形状のラック用支柱（図１２のＣ，Ｄ参照）が知られている。
【先行技術文献】
【特許文献】
【０００４】
【特許文献１】特許第４０１８２８５号
【考案の概要】
【考案が解決しようとする課題】
【０００５】
しかしながら、平面視Ｃ状のラック用支柱は、折り曲げ加工により平面視Ｃ状に形成され、支柱の側面に高さ方向に沿って開口する開口部を有するため、開口部を有する側面が他の側面に比較して低いものとなっていた。
【０００６】
また、角柱形状の支柱は、溶接によって接合し形成するため、製造コストが高くなる、という問題があった。
【０００７】
本考案は、上述した事情に鑑みてなされたものであり、その目的は、製造コストを低減しながら、十分な強度を確保することができるラック用支柱を提供することにある。
【課題を解決するための手段】
【０００８】
［１］収納保管するための物品棚や書架等のラックに組み込まれるラック用支柱であって、前記ラック用支柱は、一枚の金属板材を角柱状になるように折り曲げ形成され、前記ラック用支柱の一側面には、前記金属板材の両端部が該側面よりも内側に没するように折り曲げられた折込部が形成されていることを特徴とするラック用支柱。
【０００９】
［２］前記折込部は、前記ラック用支柱の一側面の幅方向中央部に配置されていることを特徴とする前項１記載のラック用支柱。
【００１０】
［３］前記ラック用支柱は、前記折込部が配置されている側面に、他部材を係止するための正面係止部が形成されていることを特徴とする前項１又は２に記載のラック用支柱。
【００１１】
［４］前記ラック用支柱は、前記折込部が配置されている側面に対向する側面に、他部材を係止するための背面係止部が形成されていることを特徴とする前項１〜３のいずれかに記載のラック用支柱。
【００１２】
［５］前項１〜４のいずれか１項に記載のラック用支柱を備えているラック。
【考案の効果】
【００１３】
前項［１］の考案によると、前記ラック用支柱を、一枚の金属板材を角柱状になるように折り曲げ形成し、前記ラック用支柱の一側面に、前記金属板材の両端部が該側面よりも内側に没するように折り曲げられた折込部を形成したため、溶接によって接合することなく、折り曲げ加工のみで形成できることにより、製造コストを低減することができる。また、金属部材の両端部を内側に折り曲げたため、両端部が配置さている側面についても高い強度を確保することができる。これにより、同側面を含む支柱の複数面にビームや棚等の部材を係止してラックを構成することもできる。
【００１４】
前項［２］の考案によると、前記折込部を、前記ラック用支柱の一側面の幅方向中央部に配置したため、折込部を中央に挟んだ左右の側面に、ビームや棚等の部材を取り付けることができる。
【００１５】
前項［３］の考案によると、前記折込部が配置されている側面に、他部材を係止するための正面係止部を形成したため、折込部が配置されている側面において、ビームや棚等を支持することができる。
【００１６】
前項［４］の考案によると、前記折込部が配置されている側面に対向する側面に、他部材を係止するための背面係止部を形成したため、折込部が配置されている側面に対向する側面において、ビームや棚等を支持することができる。
【００１７】
前項［５］の考案によると、前項１〜４のいずれか１項記載のラック用支柱を備えているラックとしたため、このラックについて上述したラック用支柱の効果を奏することができる。
【図面の簡単な説明】
【００１８】
【図１】図１は、本考案の一実施形態にかかるラック用支柱の斜視図である。
【図２】図２は、本考案の一実施形態にかかるラック用支柱の平面図である。
【図３】図３は、本考案の一実施形態にかかるラック用支柱の正面図である。
【図４】図４は、本考案の一実施形態にかかるラック用支柱の背面図である。
【図５】図５は、本考案の一実施形態にかかるラック用支柱の側面図である。
【図６】図６は、本考案の一実施形態にかかるラック用支柱の変形例を示す側面図である。
【図７】図７は、本考案の一実施形態にかかるラックの組立構成図である。
【図８】図８は、本考案の一実施形態にかかるラック用支柱に他部材が係止されている状態を説明する拡大図である。
【図９】図９は、本考案の一実施形態にかかるラック用支柱を組み込んだラックの斜視図である。
【図１０】図１０は、本考案の変形実施形態にかかるラック用支柱を組み込んだラックの斜視図である。
【図１１】図１１は、本考案の変形実施形態にかかるラック用支柱を示す説明図であり、（Ａ）は折込部の形成された正面の幅が左右両側面の幅よりも幅広の支柱の平面図、（Ｂ）は折込部の形成された正面の幅が左右両側面の幅よりも幅狭の支柱の平面図、（Ｃ）は折込部が支柱の中央よりも左側面側に位置する支柱の平面図、（Ｄ）は折込部が支柱の中央よりも右側面側に位置する支柱の平面図、について示した図である。
【図１２】図１２は、従来のラック用支柱を示す説明図で、（Ａ）は平面視Ｃ状のラック用支柱の斜視図、（Ｂ）は平面視Ｃ状のラック用支柱の平面図、（Ｃ）は角柱形状のラック用支柱の斜視図、（Ｄ）は角柱形状のラック用支柱の平面図、について示した図である。
【考案を実施するための形態】
【００１９】
次に、本考案の一実施形態について、図１〜図９を参照して以下に説明する。
【００２０】
図１は、本考案の一実施形態にかかるラック用支柱の斜視図である。図２は、本考案の一実施形態にかかるラック用支柱の平面図である。図３は、本考案の一実施形態にかかるラック用支柱の正面図である。図４は、本考案の一実施形態にかかるラック用支柱の背面図である。図５は、本考案の一実施形態にかかるラック用支柱の側面図である。図６は、本考案の一実施形態にかかるラック用支柱の変形例を示す側面図である。図７は、本考案の一実施形態にかかるラックの組立構成図である。図８は、本考案の一実施形態にかかるラック用支柱に他部材が係止されている状態を説明する拡大図である。図９は、本考案の一実施形態にかかるラック用支柱を組み込んだラックの斜視図である。
【００２１】
本実施形態のラック１は、収納保管するための物品棚や書架等のラック１であって、ラック用支柱１０と、ビーム３０と、つなぎ２０と、棚４０と、を組み立て構成されている。
【００２２】
図１〜図６に示すように、本実施形態のラック用支柱１０は、収納保管するための物品棚や書架等のラック１に組み込んで使用するものである。このラック用支柱１０は、一枚の金属板材を角柱状、すなわち正面、背面、右側面、左側面を有するように形成されている。この金属板材は、例えば鋼板から形成されている。また、この金属板材は、例えばロールフォーミング加工等による曲げ加工により形成されている。ラック用支柱１０は、折込部１４，１４と、開口部１３と、係止部１２０と、が形成されている。
【００２３】
図１，図２に示すように、折込部１４，１４は、ラック用支柱１０の正面に形成されている。さらに、折込部１４，１４は、ラック用支柱１０の幅方向中央部に形成されている。この折込部１４，１４は、金属板材の両端部１１，１１がラック用支柱１０の正面の面壁１２，１２よりも内側に没するように折り曲げ形成されている。
【００２４】
また、ラック用支柱１０の下方には、折込部１４，１４の形成されていない開口部１３が形成されている。
【００２５】
図１〜図６に示すように、係止部１２０は、ラック用支柱１０の正面に形成された正面係止部１２１と、ラック用支柱１０の背面に形成された背面係止部１２３と、ラック用支柱１０の右側面および左側面に形成された側面棚取付部１２５と、から構成されている。
【００２６】
図３に示すように、正面係止部１２１は、ラック用支柱１０の正面に形成されている。この正面係止部１２１は、折込部１４，１４を中間に挟んで、左右それぞれに上下に２個形成され、合計４個の正面係止部１２１が形成されている。
【００２７】
また、この正面係止部１２１は、ラック用支柱１０を形成する金属板材に貫通する孔を開けて形成されている。この正面係止部１２１は上部と下部からなる。正面係止部１２１の上部は、上方から下方に向かって孔の幅が平行になるように形成され、正面係止部１２１の下部は、上方から下方に向かって孔の幅が平行になるように形成されている。また、正面係止部１２１の上部と下部の中間付近では、この孔の幅が格段と幅狭になるように形成されている。
【００２８】
さらに、正面係止部１２１は、ラック用支柱１０の下方にも形成されている。この正面係止部１２１は、折込部１４，１４を中間に挟んで、左右それぞれに上下に２個形成され、全部で４個の正面係止部１２１が形成されている。さらに、この正面係止部１２１の下方には、ロックピン５０を挿通するための孔１２２が開口部１３を中間に挟んで、左右に各１個形成されている。
【００２９】
図４に示すように、背面係止部１２３は、ラック用支柱１０の背面に形成されている。この背面係止部１２３は、左右それぞれに上下に２個形成され、合計４個形成されている。また、この上下の背面係止部１２３の間には、ロックピン５０を挿入するための孔１２４が形成されている。
【００３０】
この背面係止部１２３は、金属板材に貫通する孔を開けて形成されている。この背面係止部１２３は、上部と下部からなる。背面係止部１２３の上部は上方から下方に向かって孔の幅が狭くなるように形成されている。また、背面係止部１２３の下部は、上方から下方に向かって孔の幅が狭くなるように形成されている。また背面係止部１２３の上部と下部の中間付近では、この孔の幅が格段と幅狭になるように形成されている。また、この背面係止部１２３および孔１２４は、ラック用支柱１０の背面の下方にも形成されている。
【００３１】
図５に示すように、側面棚取付部１２５は、ラック用支柱１０の右側面および左側面に形成されている。この側面棚取付部１２５は、ラック用支柱１０の幅方向中央部であって、高さ方向に沿って所定のピッチで複数形成されている。この側面棚取付部１２５・・・は、長方形状に形成されている。
【００３２】
また、図６に示すように、例えば側面係止部１２６は、ラック用支柱１０の右側面および左側面に形成された側面棚取付部１２５のほかに、ラック用支柱１０の上方と下方に、ビーム３０や、その他の部材を係止するための側面係止部１２６を形成しても良い。詳述すると、この側面係止部１２６は、ラック用支柱１０の上方には、合計２個の側面係止部１２６が形成され、ラック用支柱１０の下方には、合計４個の側面係止部１２６が形成されている。また、この側面係止部１２６は、正面係止部１２１と同様の孔形状になるように形成されている。
【００３３】
図７〜図９に示すように、ビーム３０は、ラック用支柱１０の上方であって、ラック１の前方と後方に取り付けられる天ビーム３１，３１と、ラック用支柱１０の上方であって、ラック１の中間に取り付けられる中央天ビーム３２支柱と、ラック用支柱１０の下方であって、ラック１の前方と後方に取り付けられる地ビーム３３と、ラック用支柱１０の下方であって、ラック１の中間に取り付けられる中央地ビーム３４と、から構成されている。
【００３４】
天ビーム３１には、長手方向の両端部にロックピン５０を挿通するための孔３１ａが形成されている。地ビーム３３には、長手方向の両端部にロックピン５０を挿通するための孔３３ａが形成されている。また、中央天ビーム３２には、長手方向の両端部にラック用支柱１０の各係止部１２０に係止するための係止爪３２ａが形成されている。中央地ビーム３４には、長手方向の両端部にラック用支柱１０の各係止部１２０に係止するための係止爪３４ａが形成されている。
【００３５】
つなぎ２０は、長手方向の両端部にラック用支柱１０の各係止部１２０に係止するための係止爪２０ａが形成されている。
【００３６】
棚４０は、棚板４１と棚受け４２とかなり、棚板４１の両端部に棚受け４２，４２を係合して組み立てられている。また、この棚受け４２，４２には、ラック用支柱１０に係止するため、外側に突出する係止爪４２ａが形成されている。
次に、ラックの組み立てについて説明する。
【００３７】
図７〜図９に示すように、ここでは、ラック用支柱１０を前支柱１０ａと中支柱１０ｂと後支柱１０ｃとして使用する。前支柱１０ａと中支柱１０ｂと後支柱１０ｃは、所定間隔を置いて左側および右側それぞれに配置されている。前支柱１０ａと中支柱１０ｂは、支柱の背面と正面とが向かい合うように配置され、後支柱１０ｃと中支柱１０ｂは、支柱の両端部１１，１１が形成されている正面が向かい合わせになるように配置されている。
【００３８】
前後に隣接する支柱間、すなわち前支柱１０ａと中支柱１０ｂの間および中支柱１０ｂと後支柱１０ｃの間には、つなぎ２０・・・が支柱の上方および下方にそれぞれ取り付けられている。支柱の正面係止部１２１には、つなぎ２０の一方の係止爪２０ａが係止され、支柱の背面係止部１２３には、つなぎ２０の他方の係止爪２０ａが係止されることにより、つなぎ２０は取り付けられている。
【００３９】
また、左側のラック用支柱１０・・・（前支柱１０ａ、中支柱１０ｂ、後支柱１０ｃ）と右側のラック用支柱１０・・・（前支柱１０ａ、中支柱１０ｂ、後支柱１０ｃ）との間には、複数のビーム３０と棚４０が取り付けられている。
【００４０】
詳述すると、左側の前支柱１０ａと右側の前支柱１０ａの間には、上方に天ビーム３１が下方に地ビーム３３が取り付けられている。天ビーム３１は、天ビーム３１に形成された孔３１ａと、その孔３１ａに対応するラック用支柱１０の背面に形成された孔１２４とに、天ビーム３１の外側からロックピン５０を挿通することにより、取り付けられている。また、地ビーム３３は、地ビーム３３に形成された孔３３ａと、その孔３３ａに対応するラック用支柱１０の背面に形成された孔１２４とに、地ビーム３３の外側からロックピン５０を挿通することにより、取り付けられている。
【００４１】
また、同様の方法によって、左側の後支柱１０ｃと右側の後支柱１０ｃの間には、上方に天ビーム３１が下方に地ビーム３３が取り付けられている。
【００４２】
中支柱１０ｂとして使用するラック用支柱１０は、右側面および左側面に側面棚取付部１２５と側面係止部１２６とが形成されたものを採用している。左側の中支柱１０ｂと右側の中支柱１０ｂの間には、上方に中央天ビーム３２が、下方に中央地ビーム３４が取り付けられている。中央天ビーム３２は、中央天ビーム３２の係止爪３２ａが中支柱１０ｂの係止部１２０に係止され、中支柱１０ｂに取り付けられている。また、中央地ビーム３４は、中央地ビーム３４の係止爪３４ａが中支柱１０ｂの係止部１２０に係止され、中支柱１０ｂに取り付けられている。
【００４３】
また、各ラック用支柱１０・・・の先には、天キャップ６０・・・が取り付けられている。各ラック用支柱１０・・・の底には、ベース７０・・・が取り付けられている。以上によって、ラック１は組み立てられている。
【００４４】
本実施形態のラック用支柱は、次の利点がある。
【００４５】
すなわち、折込部１４，１４をラック用支柱１０の正面に形成し、折込部１４，１４を、ラック用支柱１０の幅方向中央部に形成し、この折込部１４，１４を、金属板材の両端部１１，１１がラック用支柱１０の正面の面壁１２よりも内側に没するように折り曲げ形成したため、溶接によって接合することなく、折り曲げ加工のみで形成できることにより、製造コストを低減することができる。また、金属部材の両端部１１，１１を内側に折り曲げたため、両端部１１，１１が配置さている側面についても高い強度を確保することができる。これにより、ラック用支柱１０の正面を含むラック用支柱１０の背面、右側面及び左側面にビーム３０や棚４０等の部材を係止してラック１を構成することもできる。
【００４６】
さらに、係止部１２０を、ラック用支柱１０の正面に形成された正面係止部１２１と、ラック用支柱１０の背面に形成された背面係止部１２３と、ラック用支柱１０の右側面および左側面に形成された側面棚取付部１２５と、から構成したため、製造コストを低減しながら、ラック用支柱１０の複数面に、つなぎ２０やビーム３０や棚４０等のラック１を組み立てるために必要な部材を係止することができる。
【００４７】
さらに、正面係止部１２１を、折込部１４，１４を中間に挟んで、左右それぞれに上下に２個形成し、合計４個の正面係止部１２１を形成したため、製造コストを低減しながら、それらの部材を支持するための十分な強度を確保することができ、ビーム３０や棚４０等の部材を係止してラック１を構成することができる。
【００４８】
さらに、正面係止部１２１を、ラック用支柱１０を形成する金属板材に貫通する孔を開けて形成し、正面係止部１２１の上部を、上方から下方に向かって孔の幅が平行になるように形成し、正面係止部１２１の下部を、上方から下方に向かって孔の幅が平行になるように形成し、また、正面係止部１２１の上部と下部の中間付近を、この孔の幅が格段と幅狭になるように形成したため、ビーム３０や、つなぎ２０等のラック１を組み立てるのに必要なその他の部材を容易かつ確実に係止することができる。
【００４９】
さらに、正面係止部１２１を、ラック用支柱１０の下方にも形成し、この正面係止部１２１を、折込部１４，１４を中間に挟んで、左右それぞれに上下に２個形成し、全部で４個の正面係止部１２１を形成し、この正面係止部１２１の下方に、ロックピン５０を挿通するための孔１２２を、開口部１３を中間に挟んで、左右に各１個形成したため、ビーム３０等のラック１を組み立てるのに必要なその他の部材を容易かつ確実に係止することができる。
【００５０】
さらに、ラック用支柱１０の上方と下方に形成した背面係止部１２３を、左右それぞれに上下に２個形成し、合計４個形成し、この上下の背面係止部１２３の間に、ロックピン５０を挿入するための孔１２４を形成したため、ビーム３０等のラック１を組み立てるのに必要なその他の部材を容易かつ確実に係止することができる。
【００５１】
さらに、この背面係止部１２３を、金属板材に貫通する孔を開けて形成し、背面係止部１２３の上部を、上方から下方に向かって孔の幅が狭くなるように形成し、背面係止部１２３の下部を、上方から下方に向かって孔の幅が狭くなるように形成し、背面係止部１２３の上部と下部の中間付近を、この孔の幅が格段と幅狭になるように形成したため、ビーム３０等のラック１を組み立てるのに必要なその他の部材を容易かつ確実に係止することができる。
【００５２】
さらに、側面棚取付部１２５を、ラック用支柱１０の右側面および左側面に形成し、この側面棚取付部１２５を、ラック用支柱１０の幅方向中央部であって、高さ方向に沿って所定のピッチで複数形成し、この側面棚取付部１２５・・・を、長方形状に形成したため、棚４０等ラック１を組み立てるのに必要なその他の部材を容易に係止することができる。
【００５３】
さらに、ラック用支柱１０の右側面および左側面に形成された側面棚取付部１２５のほかに、ラック用支柱１０の上方と下方に、ビーム３０や、その他の部材を係止するための側面係止部１２６を形成したため、棚４０等の部材以外に、ビーム３０等のラック１を組み立てるのに必要なその他の部材を容易に係止することができる。
【００５４】
さらに、ラック１を、ラック用支柱１０とビーム３０とつなぎ２０と棚４０とを組み立て構成したため、ラック用支柱１０の有する効果を奏することができる。
【００５５】
以上、本考案を一実施形態に基づいて説明してきたが、本考案はこれに限定されるものではなく、以下のように構成しても良い。
【００５６】
（１）上記実施形態では、折込部１４，１４をラック用支柱１０の幅方向中央に形成したが、本考案はこれに限定されるものではなく、図１１の（Ａ）に示すように、折込部１４，１４の形成された正面の幅が左右両側面の幅よりも幅広になるように金属板材を折り曲げて形成しても良く、図１１の（Ｂ）に示すように、折込部１４，１４の形成された正面の幅が左右両側面の幅よりも幅狭になるように金属板材を折り曲げて形成しても良い。
【００５７】
さらに、図１１の（Ｃ）に示すように、折込部１４，１４がラック用支柱１０の中央よりも左側面側に位置するよう金属板材を折り曲げて形成しても良く、図１１の（Ｄ）に示すように、折込部１４，１４がラック用支柱１０の中央よりも右側面側に位置するよう金属板材を折り曲げて形成しても良い。さらに、両端部１１，１１を、ラック用支柱１０の背面付近まで延長して形成しても良く、必ずしもラック用支柱１０の正面付近に形成する必要はない。
【００５８】
（２）上記実施形態では、ラック１を６本のラック用支柱１０・・・と複数のビーム３０・・・と複数のつなぎ２０・・・と複数の棚４０・・・とを組み合わせて構成した、いわゆる複柱書架について説明してきたが、本考案はこれに限定されるものではなく、図１０に示すラック８を構成するように組み込んでも良い。すなわち、この変形実施形態にかかるラック８は、いわゆる単柱書架に関するものである。このラック８には、２本のラック用支柱１０が組み込まれている。このラック８に組み込まれるラック用支柱１０は、ラック用支柱１０の両端部１１，１１の形成されている正面が向かい合わせになるように配置されている。この配置されたラック用支柱１０は、右側面および左側面に側面棚取付部１２５と側面係止部１２６とが形成されたものを採用している。なお、ここでは、必ずしも側面係止部１２６が形成されているラック用支柱１０を使用する必要はなく、ラック用支柱１０に取り付ける部材によって、係止部１２０の形状、位置、個数等を任意に選択可能である。また、その係止部１２０に係止される部材も任意に選択可能である。隣接するラック用支柱１０の間には、上方に中央天ビーム３２が、下方に中央地ビーム３４が取り付けられている。すなわち、中央天ビーム３２は、中央天ビーム３２の係止爪３２ａをラック用支柱１０の係止部１２０に係止され、ラック用支柱１０に取り付けられている。また、中央地ビーム３４は、中央地ビーム３４の係止爪３４ａをラック用支柱１０の係止部１２０に係止され、ラック用支柱１０に取り付けられている。また、ラック用支柱１０の両側面（右側面および左側面）には、棚板４１と棚受け４２とからなる棚４０が複数（この実施形態では、片面では５個、両面では１０個）取り付けられている。この棚４０は、この棚受け４２，４２に形成さえた係止爪４２ａをラック用支柱１０の側面の側面棚取付部１２５に係止され、取り付けられている。以上により、ラック８は組み立てられている。
【００５９】
（３）上記実施形態では、係止部１２０をラック用支柱１０の正面に形成された正面係止部１２１と、ラック用支柱１０の背面に形成された背面係止部１２３と、ラック用支柱１０の右側面および左側面に形成された側面棚取付部１２５と、から構成したが、本考案はこれに限定されるものではなく、必ずしも正面係止部１２１と背面係止部１２３と側面棚取付部１２５とから構成する必要はなく、ラックの種類や支柱に取り付ける部材によって、これらの係止部を形成するか否か任意に選択可能である。
【００６０】
（４）上記実施形態では、正面係止部１２１を、折込部１４，１４を中間に挟んで、左右それぞれに上下に２個形成し、合計４個の正面係止部１２１を形成したが、本考案はこれに限定されるものではなく、この正面係止部１２１の位置、個数等は、ラックの種類や支柱に取り付ける部材によって任意に選択可能である。
【００６１】
（５）上記実施形態では、正面係止部１２１を、ラック用支柱１０を形成する金属板材に貫通する孔を開けて形成し、正面係止部１２１の上部を、上方から下方に向かって孔の幅が平行になるように形成し、正面係止部１２１の下部を、上方から下方に向かって孔の幅が平行になるように形成し、また、正面係止部１２１の上部と下部の中間付近を、この孔の幅が格段と幅狭になるように形成したが、本考案はこれに限定されるものではなく、この正面係止部１２１の位置、形態等は、ラックの種類や、支柱に取り付ける部材によって任意に選択可能である。
【００６２】
（６）上記実施形態では、正面係止部１２１を、ラック用支柱１０の下方にも形成し、この正面係止部１２１を、折込部１４，１４を中間に挟んで、左右それぞれに上下に２個形成し、全部で４個の正面係止部１２１を形成し、この正面係止部１２１の下方に、ロックピン５０を挿通するための孔１２２を、開口部１３を中間に挟んで、左右に各１個形成したが、本考案はこれに限定されるものではなく、この正面係止部１２１の位置、個数等は、ラックの種類や支柱に取り付ける部材によって任意に選択可能である。
【００６３】
（７）上記実施形態では、ラック用支柱１０の上方と下方に形成された背面係止部１２３を、左右それぞれに上下に２個形成し、合計４個形成し、この上下の背面係止部１２３の間に、ロックピン５０を挿入するための孔１２４を形成したが、本考案はこれに限定されるものではなく、この背面係止部１２３の位置、個数等は、ラックの種類や支柱に取り付ける部材によって任意に選択可能である。
【００６４】
（８）上記実施形態では、この背面係止部１２３を、金属板材に貫通する孔を開けて形成し、背面係止部１２３の上部を、上方から下方に向かって孔の幅が狭くなるように形成し、背面係止部１２３の下部を、上方から下方に向かって孔の幅が狭くなるように形成し、背面係止部１２３の上部と下部の中間付近を、この孔の幅が格段と幅狭になるように形成したが、本考案はこれに限定されるものではなく、この正面係止部１２１の形態等は、ラックの種類や支柱に取り付ける部材によって任意に選択可能である。
【００６５】
（９）上記実施形態では、側面棚取付部１２５を、ラック用支柱１０の右側面および左側面に形成し、この側面棚取付部１２５を、ラック用支柱１０の幅方向中央部であって、高さ方向に沿って所定のピッチで複数形成し、この側面棚取付部１２５・・・を、長方形状に形成したが、本考案はこれに限定されるものではなく、この側面棚取付部１２５の位置、個数等は、ラックの種類や支柱に取り付ける部材によって任意に選択可能である。
【００６６】
（１０）上記実施形態では、ラック用支柱１０の右側面および左側面に形成された側面棚取付部１２５のほかに、ラック用支柱１０の上方と下方に、ビーム３０や、その他の部材を係止するための側面係止部１２６を形成したが、本考案はこれに限定されるものではなく、この側面係止部１２６の位置、個数等は、ラックの種類や支柱に取り付ける部材によって任意に選択可能である。
【符号の説明】
【００６７】
１      ラック
１０    ラック用支柱
１１    両端部
１４    折込部
１２０  正面係止部
１４０  背面係止部
【図１】
0003156071.tif 000003
【図２】
0003156071.tif 000004
【図３】
0003156071.tif 000005
【図４】
0003156071.tif 000006
【図５】
0003156071.tif 000007
【図６】
0003156071.tif 000008
【図７】
0003156071.tif 000009
【図８】
0003156071.tif 000010
【図９】
0003156071.tif 000011
【図１０】
0003156071.tif 000012
【図１１】
0003156071.tif 000013
【図１２】
0003156071.tif 000014